(57)【要約】【課題】移動通信端末が利用可能な特定セルを適切に探索することを可能とする移動通信端末、移動通信システム及び移動通信方法を提供する。【解決手段】ＵＥ１０は、ＵＥ１０がアクセス可能な特定セルと、当該特定セルの周辺に設けられる周辺セルを特定するための周辺セル構成要素とを対応付けて記憶するように構成された記憶部１２と、ＵＥ１０がアクセス可能な特定セルを探索するように構成された探索部１４と、記憶部１２に記憶された特定セルに遷移元セルから遷移した場合に、遷移元セルを特定するための構成要素を周辺セル構成要素として記憶部１２に登録するように構成された登録部１３とを備える。【選択図】  図３
2011217265.tif 000002
【特許請求の範囲】
【請求項１】
アクセス種別を設定可能に構成された特定セル及びマクロセルと通信を行うように構成された移動通信端末であって、
前記特定セル及び前記マクロセルの少なくともいずれかのセルから、当該セルを特定するための構成要素を含む報知情報を受信するように構成された受信部と、
前記移動通信端末がアクセス可能な特定セルと、当該特定セルの周辺に設けられる周辺セルを特定するための周辺セル構成要素とを対応付けて記憶するように構成された記憶部と、
前記記憶部に記憶された特定セルを探索するように構成された探索部と、
前記移動通信端末がアクセス可能な特定セルに遷移元セルから遷移した場合に、前記遷移元セルを特定するための構成要素を前記周辺セル構成要素として前記記憶部に登録するように構成された登録部をさらに備えることを特徴とする移動通信端末。
【請求項２】
前記探索部は、前記報知情報に含まれる構成要素が前記周辺セル構成要素に含まれているか否かに応じて、前記記憶部に記憶された特定セルの探索方法を切り替えることを特徴とする移動通信端末。
【請求項３】
前記探索部は、前記報知情報に含まれる構成要素が前記周辺セル構成要素に含まれていない場合に、前記記憶部に記憶された特定セルを探索しないことを特徴とする請求項２に記載の移動通信端末。
【請求項４】
前記探索部は、前記報知情報に含まれる構成要素が前記周辺セル構成要素に含まれている場合に、前記記憶部に記憶された特定セルを第１周期で探索し、前記報知情報に含まれる構成要素が前記周辺セル構成要素に含まれていない場合に、前記記憶部に記憶された特定セルを前記第１周期よりも長い第２周期で探索することを特徴とする請求項２に記載の移動通信端末。
【請求項５】
アクセス種別を設定可能に構成された特定セル及びマクロセルと通信を行うように構成された移動通信端末を有する移動通信システムであって、
前記特定セル及び前記マクロセルのいずれかのセルから、当該セルを特定するための構成要素を含む報知情報を受信するように構成された受信部と、
前記移動通信端末がアクセス可能な特定セルと、当該特定セルの周辺に設けられる周辺セルを特定するための周辺セル構成要素とを対応付けて記憶するように構成された記憶部と、
前記記憶部に記憶された特定セルを探索するように構成された探索部と、
前記移動通信端末がアクセス可能な特定セルに遷移元セルから遷移した場合に、前記遷移元セルを特定するための構成要素を前記周辺セル構成要素として前記記憶部に登録するように構成された登録部を備えることを特徴とする移動通信システム。
【請求項６】
アクセス種別を設定可能に構成された特定セル及びマクロセルと通信を行うように構成されており、移動通信端末に適用される移動通信方法であって、
前記移動通信端末は、前記移動通信端末がアクセス可能な特定セルと、当該特定セルの周辺に設けられる周辺セルを特定するための周辺セル構成要素とを対応付けて記憶するように構成された記憶部を有しており、
前記特定セル及び前記マクロセルのいずれかのセルから、当該セルを特定するための構成要素を含む報知情報を受信するステップＡと、
前記記憶部に記憶された特定セルを探索するステップＢと、
前記移動通信端末がアクセス可能な特定セルに遷移元セルから遷移した場合に、前記遷移元セルを特定するための構成要素を前記周辺セル構成要素として前記記憶部に登録するステップとを備えることを特徴とする移動通信方法。
【発明の詳細な説明】
【技術分野】
【０００１】
アクセス種別を設定可能に構成された特定セル及びマクロセルと通信を行うように構成される移動通信端末、移動通信システム及び移動通信方法に関する。
【背景技術】
【０００２】
ＣＳＧ（Ｃｌｏｓｅｄ  Ｓｕｂｓｃｒｉｂｅｒ  Ｇｒｏｕｐ）セル、ホームセル又はフェムトセルなどと称される特定セルが知られている（例えば、非特許文献１）。なお、特定セルには、アクセス種別を設定することが可能である。アクセス種別は、「Ｃｌｏｓｅｄ」、「Ｈｙｂｒｉｄ」又は「Ｏｐｅｎ」である。
【０００３】
「Ｃｌｏｓｅｄ」の特定セルは、特定ユーザ（ＵＥ；Ｕｓｅｒ  Ｅｑｕｉｐｍｅｎｔ）に対するサービスの提供のみが許可されるように構成される。「Ｈｙｂｒｉｄ」の特定セルは、特定ユーザに対して他のユーザ（非特定ユーザ）よりも高品質の通信が許可されるように構成される。「Ｏｐｅｎ」の特定セルは、一般的なマクロセルと同様に、全てのユーザに対するサービスの提供が許可されるように構成される。
【０００４】
一般的に、特定セルのサービスエリアは、マクロセルのサービスエリアと比べて小さく、特定セルの送信電力は、マクロセルの送信電力よりも小さい。従って、パイロットチャネルなどの制御信号の電界強度に基づいて移動通信端末がセル選択を行うと、遷移先セルとして特定セルが選択されない可能性がある。
【０００５】
従って、特定セルの周波数や拡散コードを移動通信端末に登録しておき、移動通信端末は、探索候補セルとして特定セルを常に探索するように構成される。また、移動通信端末は、特定セルが見つかった場合には、制御信号の電界強度によらずに、遷移先セルとして特定セルを選択するように構成される。
【０００６】
なお、特定セル及びマクロセルについて、隣接セルリストを構築して、隣接セルリストを移動通信端末に報知する技術も提案されている（例えば、特許文献１）。
【先行技術文献】
【特許文献】
【０００７】
【特許文献１】特表２００９−５１０９７３号公報
【発明の概要】
【発明が解決しようとする課題】
【０００８】
ここで、隣接セルリストが報知されていても、移動通信端末が利用できない特定セルが含まれていることも考えられる。従って、移動通信端末が利用可能な特定セルは、移動通信端末に登録されていることが好ましい。
【０００９】
また、移動通信端末に登録された特定セルが探索候補セルとして常に探索されると、移動通信端末が特定セルから地理的に離れている場合には、特定セルの探索が無駄に行われてしまう。
【００１０】
そこで、本発明は、上述した課題を解決するためになされたものであり、移動通信端末が利用可能な特定セルを適切に探索することを可能とする移動通信端末、移動通信システム及び移動通信方法を提供することを目的とする。
【課題を解決するための手段】
【００１１】
第１の特徴に係る移動通信端末は、アクセス種別を設定可能に構成された特定セル及びマクロセルと通信を行うように構成される。移動通信端末は、前記特定セル及び前記マクロセルのいずれかのセルから、当該セルを特定するための構成要素を含む報知情報を受信するように構成された受信部と、前記移動通信端末がアクセス可能な特定セルと、当該特定セルの周辺に設けられる周辺セルを特定するための周辺セル構成要素を記憶するように構成された記憶部と、前記記憶部に記憶された特定セルを探索するように構成された探索部と、前記移動通信端末がアクセス可能な特定セルに遷移元セルから遷移した場合に、前記遷移元セルを特定するための構成要素を前記周辺セル構成要素として前記記憶部に登録するように構成された登録部とを備える。
【００１２】
第１の特徴において、前記探索部は、前記報知情報に含まれる構成要素が前記周辺セル構成要素に含まれているか否かに応じて、前記記憶部に記憶された特定セルの探索方法を切り替える。
【００１３】
第１の特徴において、前記探索部は、前記報知情報に含まれる構成要素が前記周辺セル構成要素に含まれていない場合に、前記記憶部に記憶された特定セルを探索しない。
【００１４】
第１の特徴において、前記探索部は、前記報知情報に含まれる構成要素が前記周辺セル構成要素に含まれている場合に、前記記憶部に記憶された特定セルを第１周期で探索する。前記探索部は、前記報知情報に含まれる構成要素が前記周辺セル構成要素に含まれていない場合に、前記記憶部に記憶された特定セルを前記第１周期よりも長い第２周期で探索する。
【００１５】
第２の特徴に係る移動通信システムは、アクセス種別を設定可能に構成された特定セル及びマクロセルと通信を行うように構成された移動通信端末を有する。移動通信システムは、前記特定セル及び前記マクロセルのいずれかのセルから、当該セルを特定するための構成要素を含む報知情報を受信するように構成された受信部と、前記移動通信端末がアクセス可能な特定セルと、当該特定セルの周辺に設けられる周辺セルを特定するための周辺セル構成要素とを対応付けて記憶するように構成された記憶部と、前記記憶部に記憶された特定セルを探索するように構成された探索部と、前記移動通信端末がアクセス可能な特定セルに遷移元セルから遷移した場合に、前記遷移元セルを特定するための構成要素を前記周辺セル構成要素として前記記憶部に登録するように構成された登録部とを備える。
【００１６】
第３の特徴に係る移動通信方法は、アクセス種別を設定可能に構成された特定セル及びマクロセルと通信を行うように構成されており、移動通信端末に適用される。前記移動通信端末は、前記移動通信端末がアクセス可能な特定セルと、当該特定セルの周辺に設けられる周辺セルを特定するための周辺セル構成要素とを対応付けて記憶するように構成された記憶部を有する。移動通信方法は、前記特定セル及び前記マクロセルのいずれかのセルから、当該セルを特定するための構成要素を含む報知情報を受信するステップＡと、前記記憶部に記憶された特定セルを探索するステップＢと、前記移動通信端末がアクセス可能な特定セルに遷移元セルから遷移した場合に、前記遷移元セルを特定するための構成要素を前記周辺セル構成要素として前記記憶部に登録するステップＣとを備える。
【発明の効果】
【００１７】
本発明によれば、移動通信端末が利用可能な特定セルを適切に探索することを可能とする移動通信端末、移動通信システム及び移動通信方法を提供することができる。
【図面の簡単な説明】
【００１８】
【図１】第１実施形態に係る移動通信システム１００を示す図である。
【図２】第１実施形態に係るセルの構成を示す図である。
【図３】第１実施形態に係るＵＥ１０を示す図である。
【図４】第１実施形態に係る記憶部１２に記憶された情報を示す図である。
【図５】第１実施形態に係るＵＥ１０の動作を示すフロー図である。
【図６】第１実施形態に係るＵＥ１０の動作を示すフロー図である。
【図７】変更例１に係る移動通信システム１００を示す図である。
【発明を実施するための形態】
【００１９】
以下において、本発明の実施形態に係る移動通信システムについて、図面を参照しながら説明する。なお、以下の図面の記載において、同一又は類似の部分には、同一又は類似の符号を付している。
【００２０】
ただし、図面は模式的なものであり、各寸法の比率などは現実のものとは異なることに留意すべきである。従って、具体的な寸法などは以下の説明を参酌して判断すべきである。また、図面相互間においても互いの寸法の関係や比率が異なる部分が含まれていることは勿論である。
【００２１】
［実施形態の概要］
実施形態に係る移動通信端末は、アクセス種別を設定可能に構成された特定セル及びマクロセルと通信を行うように構成される。移動通信端末は、特定セル及びマクロセルのいずれかのセルから、当該セルを特定するための構成要素を含む報知情報を受信するように構成された受信部と、移動通信端末がアクセス可能な特定セルの周辺に設けられる周辺セルを特定するための周辺セル構成要素を記憶するように構成された記憶部と、移動通信端末がアクセス可能な特定セルを探索するように構成された探索部と、前記移動通信端末がアクセス可能な特定セルに遷移元セルから遷移した場合に、前記遷移元セルを特定するための構成要素を前記周辺セル構成要素として前記記憶部に登録するように構成された登録部とを備える。
【００２２】
実施形態では、登録部は、遷移元セルを特定するための構成要素を周辺セル構成要素として記憶部に登録する。すなわち、移動通信端末において、移動通信端末がアクセス可能な特定セルの周辺に設けられる周辺セルを特定するための周辺セル構成要素を構築することができる。従って、移動通信端末は、周辺セル構成要素を用いて、特定セルを適切に探索することができる。
【００２３】
［第１実施形態］
（移動通信システムの構成）
以下において、第１実施形態に係る移動通信システムの構成について、図面を参照しながら説明する。図１は、第１実施形態に係る移動通信システム１００を示す図である。
【００２４】
図１に示すように、移動通信システム１００は、通信端末装置１０（以下、ＵＥ１０）と、コアネットワーク５０とを含む。また、移動通信システム１００は、第１通信システムと第２通信システムとを含む。
【００２５】
第１通信システムは、例えば、ＵＭＴＳ（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）に対応する通信システムである。第１通信システムは、基地局１１０Ａ（以下、ＮＢ１１０Ａ）と、ホーム基地局１１０Ｂ（以下、ＨＮＢ１１０Ｂ）と、ＲＮＣ１２０Ａと、ホーム基地局ゲートウェイ１２０Ｂ（以下、ＨＮＢ−ＧＷ１２０Ｂ）と、ＳＧＳＮ１３０とを有する。
【００２６】
なお、第１通信システムに対応する無線アクセスネットワーク（ＵＴＲＡＮ；Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）は、ＮＢ１１０Ａ、ＨＮＢ１１０Ｂ、ＲＮＣ１２０Ａ、ＨＮＢ−ＧＷ１２０Ｂによって構成される。
【００２７】
第２通信システムは、例えば、ＬＴＥ（Ｌｏｎｇ  Ｔｅｒｍ  Ｅｖｏｌｕｔｉｏｎ）に対応する通信システムである。第２通信システムは、例えば、基地局２１０Ａ（以下、ｅＮＢ２１０Ａ）と、ホーム基地局２１０Ｂ（以下、ＨｅＮＢ２１０Ｂ）と、ホーム基地局ゲートウェイ２２０Ｂ（以下、ＨｅＮＢ−ＧＷ２２０Ｂ）と、ＭＭＥ２３０とを有する。
【００２８】
なお、第２通信システムに対応する無線アクセスネットワーク（Ｅ−ＵＴＲＡＮ；Ｅｖｏｌｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）は、ｅＮＢ２１０Ａ、ＨｅＮＢ２１０Ｂ及びＨｅＮＢ−ＧＷ２２０Ｂによって構成される。
【００２９】
ＵＥ１０は、第１通信システム或いは第２通信システムと通信を行うように構成された装置（Ｕｓｅｒ  Ｅｑｕｉｐｍｅｎｔ）である。例えば、ＵＥ１０は、ＮＢ１１０Ａ及びＨＮＢ１１０Ｂと無線通信を行う機能を有する。或いは、ＵＥ１０は、ｅＮＢ２１０Ａ及びＨｅＮＢ２１０Ｂと無線通信を行う機能を有する。
【００３０】
ＮＢ１１０Ａは、マクロセル１１１Ａを有しており、マクロセル１１１Ａに存在するＵＥ１０と無線通信を行う装置（ＮｏｄｅＢ）である。
【００３１】
ＨＮＢ１１０Ｂは、特定セル１１１Ｂを有しており、特定セル１１１Ｂに存在するＵＥ１０と無線通信を行う装置（Ｈｏｍｅ  ＮｏｄｅＢ）である。
【００３２】
ＲＮＣ１２０Ａは、ＮＢ１１０Ａに接続されており、マクロセル１１１Ａに存在するＵＥ１０と無線接続（ＲＲＣ  Ｃｏｎｎｅｃｔｉｏｎ）を設定する装置（Ｒａｄｉｏ  Ｎｅｔｗｏｒｋ  Ｃｏｎｔｒｏｌｌｅｒ）である。
【００３３】
ＨＮＢ−ＧＷ１２０Ｂは、ＨＮＢ１１０Ｂに接続されており、特定セル１１１Ｂに存在するＵＥ１０と無線接続（ＲＲＣ  Ｃｏｎｎｅｃｔｉｏｎ）を設定する装置（Ｈｏｍｅ  ＮｏｄｅＢ  Ｇａｔｅｗａｙ）である。
【００３４】
ＳＧＳＮ１３０は、パケット交換ドメインにおいてパケット交換を行う装置（Ｓｅｒｖｉｎｇ  ＧＰＲＳ  Ｓｕｐｐｏｒｔ  Ｎｏｄｅ）である。ＳＧＳＮ１３０は、コアネットワーク５０に設けられる。図１では省略しているが、回線交換ドメインにおいて回線交換を行う装置（ＭＳＣ；Ｍｏｂｉｌｅ  Ｓｗｉｔｃｈｉｎｇ  Ｃｅｎｔｅｒ）がコアネットワーク５０に設けられていてもよい。
【００３５】
ｅＮＢ２１０Ａは、マクロセル２１１Ａを有しており、マクロセル２１１Ａに存在するＵＥ１０と無線通信を行う装置（ｅｖｏｌｖｅｄ  ＮｏｄｅＢ）である。
【００３６】
ＨｅＮＢ２１０Ｂは、特定セル２１１Ｂを有しており、特定セル２１１Ｂに存在するＵＥ１０と無線通信を行う装置（Ｈｏｍｅ  ｅｖｏｌｖｅｄ  ＮｏｄｅＢ）である。
【００３７】
ＨｅＮＢ−ＧＷ２２０Ｂは、ＨｅＮＢ２１０Ｂに接続されており、ＨｅＮＢ２１０Ｂを管理する装置（Ｈｏｍｅ  ｅｖｏｌｖｅｄ  ＮｏｄｅＢ  Ｇａｔｅｗａｙ）である。
【００３８】
ＭＭＥ２３０は、ｅＮＢ２１０Ａと接続されており、ＨｅＮＢ２１０Ｂと無線接続を設定しているＵＥ１０の移動性を管理する装置（Ｍｏｂｉｌｉｔｙ  Ｍａｎａｇｅｍｅｎｔ  Ｅｎｔｉｔｙ）である。また、ＭＭＥ２３０は、ＨｅＮＢ−ＧＷ２２０Ｂを介してＨｅＮＢ２１０Ｂと接続されており、ＨｅＮＢ２１０Ｂと無線接続を設定しているＵＥ１０の移動性を管理する装置である。
【００３９】
なお、マクロセル及び特定セルは、ＵＥ１０と無線通信を行う機能として理解すべきである。但し、マクロセル及び特定セルは、セルのサービスエリアを示す用語としても用いられる。また、マクロセル及び特定セルなどのセルは、セルで用いられる周波数、拡散コード又はタイムスロットなどによって識別される。
【００４０】
特定セルは、フェムトセル、ＣＳＧ（Ｃｌｏｓｅｄ  Ｓｕｂｓｃｒｉｂｅｒ  Ｇｒｏｕｐ）セル、ホームセルなどと称されることもある。また、特定セルは、特定セルにアクセス可能なＵＥ１０を規定するアクセス種別が設定可能に構成されている。アクセス種別は、「Ｃｌｏｓｅｄ」、「Ｈｙｂｒｉｄ」又は「Ｏｐｅｎ」である。
【００４１】
「Ｃｌｏｓｅｄ」の特定セルは、特定セルによって管理される特定ユーザ（ＵＥ；Ｕｓｅｒ  Ｅｑｕｉｐｍｅｎｔ）に対するサービスの提供のみが許可されるように構成される。
【００４２】
「Ｈｙｂｒｉｄ」の特定セルは、例えば、特定セルによって管理される特定ユーザに対して高品質の通信が許可されるように構成されており、特定セルによって管理されていない非特定ユーザに対してベストエフォート品質の通信が許可されるように構成される。
【００４３】
「Ｏｐｅｎ」の特定セルは、マクロセルと同様に、全てのＵＥ１０に対するサービスの提供が許可されるように構成される。なお、「Ｏｐｅｎ」のセルでは、特定セルによって管理されている否かによって、ＵＥ１０間の通信品質の差異が区別されない。
【００４４】
なお、アクセス種別は、アクセスクラス毎にＵＥ１０のアクセスを禁止する「ＡＣＣＥＳＳ  ＣＬＡＳＳ  ＢＡＲＲＥＤ」、セル毎にＵＥ１０のアクセスを禁止する「ＣＥＬＬ  ＢＡＲＲＥＤ」であってもよい。
【００４５】
（セルの構成例）
以下において、第１実施形態に係るセルの構成例について、図面を参照しながら説明する。図２は、第１実施形態に係るセルの構成例を示す図である。ここでは、３つのマクロセル（マクロセル３１１Ａ、マクロセル３１２Ａ及びマクロセル３１３Ａ）及び３つの特定セル（特定セル３１１Ｂ、特定セル３１２Ｂ及び特定セル３１３Ｂ）が互いに周辺セルであるケースについて例示する。
【００４６】
例えば、マクロセル３１１Ａ（以下、マクロセル＃１とも称する）のサービスエリアは、特定セル３１１Ｂ（以下、特定セル＃１とも称する）のサービスエリアと重複する。マクロセル３１１Ａのサービスエリアは、特定セル３１１Ｂのサービスエリアよりも広い。なお、マクロセル３１１Ａ及び特定セル３１１Ｂでは、同じ周波数（例えば、周波数Ａ）が用いられる。
【００４７】
マクロセル３１２Ａ（以下、マクロセル＃２とも称する）のサービスエリアは、特定セル３１２Ｂ（以下、特定セル＃２とも称する）のサービスエリアと重複する。マクロセル３１２Ａのサービスエリアは、特定セル３１２Ｂのサービスエリアよりも広い。なお、マクロセル３１２Ａ及び特定セル３１２Ｂでは、同じ周波数（例えば、周波数Ｂ）が用いられる。
【００４８】
マクロセル３１３Ａ（以下、マクロセル＃３とも称する）のサービスエリアは、特定セル３１３Ｂ（以下、特定セル＃３とも称する）のサービスエリアと重複する。マクロセル３１３Ａのサービスエリアは、特定セル３１３Ｂのサービスエリアよりも広い。なお、マクロセル３１３Ａ及び特定セル３１３Ｂでは、同じ周波数（例えば、周波数Ｃ）が用いられる。
【００４９】
なお、図２では、マクロセル１１１Ａ及びマクロセル２１１Ａを区別せずに、マクロセル全般をマクロセル３１１Ａ〜マクロセル３１３Ａと称していることに留意すべきである。同様に、特定セル１１１Ｂ及び特定セル２１１Ｂを区別せずに、特定セル全般を特定セル３１１Ｂ〜特定セル３１３Ｂと称していることに留意すべきである。
【００５０】
また、以下においては、図２に示すセルの構成を移動通信システム１００が有するケースについて例示する。
【００５１】
（移動通信端末の構成）
以下において、第１実施形態に係る移動通信端末の構成について、図面を参照しながら説明する。図３は、第１実施形態に係るＵＥ１０を示す図である。図３に示すように、ＵＥ１０は、通信部１１と、記憶部１２と、登録部１３と、探索部１４とを有する。
【００５２】
通信部１１は、マクロセルを管理する無線基地局（ＮＢ１１０Ａ又はｅＮＢ２１０Ａ）と無線通信を行う。また、通信部１１は、特定セルを管理する無線基地局（ＨＮＢ１１０Ｂ又はＨｅＮＢ２１０Ｂ）と無線通信を行う。
【００５３】
例えば、通信部１１は、マクロセル又は特定セルなどのセルから、当該セルを特定するための情報（以下、セル構成要素）を含む報知情報を受信する。或いは、通信部１１は、特定セルを管理する装置（ＨＮＢ１１０Ｂ、ＨＮＢ−ＧＷ１２０Ｂ、ＨｅＮＢ２１０Ｂ又はＨｅＮＢ−ＧＷ２２０Ｂ）から、当該特定セルへのアクセスを許可するアクセス許可信号を受信する。
【００５４】
記憶部１２は、ＵＥ１０がアクセス可能な特定セルと、当該特定セルの周辺に設けられる周辺セルを特定するための周辺セル構成要素とを対応付けて記憶する。
【００５５】
具体的には、記憶部１２は、図４に示すように、“特定セル構成要素”と、“特定セル情報”と、“周辺セル構成要素”と、“周辺セル情報”とを対応付けて記憶する。
【００５６】
“特定セル構成要素”は、ＵＥ１０がアクセス可能な特定セルを特定するための情報である。“特定セル情報”は、ＵＥ１０がアクセス可能な特定セルで用いられるセル情報（周波数や拡散コードなど）である。“周辺セル構成要素”は、ＵＥ１０がアクセス可能な特定セルの周辺に設けられる周辺セルを特定するための情報である。“周辺セル情報”は、周辺セルで用いられるセル情報（周波数、拡散コードなど）である。
【００５７】
例えば、図４に示すように、特定セル＃１は、ＵＥ１０がアクセス可能な特定セルである。特定セル＃１と対応付けられる周辺セル構成要素は、マクロセル＃１、マクロセル＃３、特定セル＃２、特定セル＃２である。ここで、周辺セル構成要素は、自セル（すなわち、特定セル＃１）を含んでもよい。
【００５８】
なお、図４に示す例では、マクロセル＃２、特定セル＃３は、特定セル＃１と対応付けられる周辺セル構成要素に含まれていない。
【００５９】
また、記憶部１２は、図４に示すように、ＵＥ１０がアクセス可能な特定セルとして、複数の特定セル（例えば、特定セル＃１、特定セル＃２）を記憶していてもよい。
【００６０】
登録部１３は、ＵＥ１０がアクセス可能な特定セルに遷移元セルからＵＥ１０が遷移した場合に、遷移元セルを特定するためのセル構成要素を周辺セル構成要素として記憶部１２に登録する。
【００６１】
例えば、図４に示す例では、マクロセル＃２から特定セル＃１にＵＥ１０が遷移した場合に、登録部１３は、特定セル＃１と対応付けられる周辺セル構成要素として、マクロセル＃２を特定するためのセル構成要素を登録する。同様に、特定セル＃３から特定セル＃１にＵＥ１０が遷移した場合に、登録部１３は、特定セル＃１と対応付けられる周辺セル構成要素として、特定セル＃３を特定するためのセル構成要素を登録する。
【００６２】
探索部１４は、ＵＥ１０がアクセス可能な特定セルを探索する。言い換えると、探索部１４は、記憶部１２に記憶された特定セルを探索する。具体的には、探索部１４は、特定セルで用いられるセル情報（周波数、拡散コードなど）を用いて、ＵＥ１０がアクセス可能な特定セルが利用可能な位置に存在するか否かを探索する。
【００６３】
ここで、探索部１４は、報知情報に含まれるセル構成要素が周辺セル構成要素に含まれているか否かに応じて、ＵＥ１０がアクセス可能な特定セルの探索方法を切り替える。
【００６４】
例えば、探索部１４は、報知情報に含まれるセル構成要素が周辺セル構成要素に含まれていない場合に、記憶部１２に記憶された特定セルを探索しなくてもよい。或いは、探索部１４は、報知情報に含まれるセル構成要素が周辺セル構成要素に含まれている場合に、ＵＥ１０がアクセス可能な特定セルを第１周期（周期α）で探索し、報知情報に含まれるセル構成要素が周辺セル構成要素に含まれていない場合に、記憶部１２に記憶された特定セルを第１周期よりも長い第２周期（周期β）で探索する。
【００６５】
（移動通信端末の動作）
以下において、第１実施形態に係る移動通信端末の動作について、図面を参照しながら説明する。図５及び図６は、第１実施形態に係るＵＥ１０の動作を示すフロー図である。
【００６６】
第１に、ＵＥ１０がアクセス可能な特定セルを探索するフローについて、図５を参照しながら説明する。
【００６７】
図５に示すように、ステップ１０において、ＵＥ１０は、他セルから、他セルを特定するためのセル構成要素を含む報知情報を受信する。
【００６８】
ステップ２０において、ＵＥ１０は、現セル（遷移元セル）のセル構成要素を一時的に記憶する。なお、ＵＥ１０は、現セル（遷移元セル）のセル情報（周波数、拡散コード）を記憶部１２に記憶してもよい。また、ＵＥ１０は、他セルに対する位置登録を試みる。
【００６９】
ステップ３０において、ＵＥ１０は、他セルから受信する報知情報に含まれるセル構成要素が記憶部１２に記憶された周辺セル構成要素に含まれるか否かを判定する。セル構成要素が周辺セル構成要素に含まれている場合に、ＵＥ１０は、ステップ４０の処理に移る。セル構成要素が周辺セル構成要素に含まれていない場合に、ＵＥ１０は、ステップ５０の処理に移る。
【００７０】
ステップ４０において、ＵＥ１０は、ＵＥ１０がアクセス可能な特定セルの探索周期として、周期βよりも短い周期αをセットする。
【００７１】
ステップ５０において、ＵＥ１０は、ＵＥ１０がアクセス可能な特定セルの探索周期として、周期αよりも長い周期βをセットする。
【００７２】
ステップ６０において、ＵＥ１０は、ステップ４０又はステップ５０でセットされた探索周期で、記憶部１２に記憶された特定セルを探索する。具体的には、ＵＥ１０は、記憶部１２に記憶された特定セルのセル情報（周波数、拡散コードなど）を用いて、ＵＥ１０がアクセス可能な特定セルが利用可能な位置に存在するか否かを探索する。
【００７３】
第２に、ＵＥ１０がアクセス可能な特定セルに遷移元セルからＵＥ１０が遷移するフローについて、図６を参照しながら説明する。
【００７４】
図６に示すように、ステップ１１０において、ＵＥ１０は、特定セルを管理する装置（ＨＮＢ１１０Ｂ、ＨＮＢ−ＧＷ１２０Ｂ、ＨｅＮＢ２１０Ｂ又はＨｅＮＢ−ＧＷ２２０Ｂ）から、特定セルへのアクセスを許可するアクセス許可信号を受信する。
【００７５】
ステップ１２０において、ＵＥ１０は、ＵＥ１０がアクセス可能な特定セルのセル構成要素（特定セル構成要素）を記憶部１２に記憶する。また、ＵＥ１０は、ＵＥ１０がアクセス可能な特定セルのセル情報（周波数、拡散コード）を記憶部１２に記憶してもよい。
【００７６】
なお、特定セル構成要素が既に記憶部１２に記憶されている場合には、ステップ１２０の処理は省略されてもよい。
【００７７】
ステップ１３０において、ＵＥ１０は、ステップ２０で一時的に記憶された遷移元セルのセル構成要素を周辺セル構成要素として記憶部１２に記憶する。また、ＵＥ１０は、遷移元セルのセル情報（周波数、拡散コード）を記憶部１２に記憶してもよい。
【００７８】
なお、周辺セル構成要素が既に記憶部１２に記憶されている場合には、ステップ１３０の処理は省略されてもよい。
【００７９】
（作用及び効果）
第１実施形態では、登録部１３は、遷移元セルを特定するためのセル構成要素を周辺セル構成要素として記憶部１２に登録する。すなわち、ＵＥ１０において、ＵＥ１０がアクセス可能な特定セルの周辺に設けられる周辺セルを特定するための周辺セル構成要素を構築することができる。従って、ＵＥ１０は、周辺セル構成要素を用いて、特定セルを適切に探索することができる。
【００８０】
例えば、ＵＥ１０は、報知情報に含まれるセル構成要素が周辺セル構成要素に含まれていない場合に、ＵＥ１０がアクセス可能な特定セルを探索しないことによって、特定セルからＵＥ１０が離れていて、探索が無駄に行われる可能性を軽減することができる。これによって、ＵＥ１０の省消費電力化が図られる。
【００８１】
或いは、ＵＥ１０は、報知情報に含まれるセル構成要素が周辺セル構成要素に含まれていない場合に、ＵＥ１０がアクセス可能な特定セルの探索周期を長くする。従って、特定セルからＵＥ１０が離れているため、無駄に行われる可能性が高い探索負荷を軽減できる。これによって、ＵＥ１０の省消費電力化が図られる。
【００８２】
［変更例１］
以下において、第１実施形態の変更例１について、図面を参照しながら説明する。以下においては、第１実施形態との相違点について主として説明する。
【００８３】
具体的には、第１実施形態では、ＨＮＢ１１０Ｂの上位ノードは、ＨＮＢ−ＧＷ１２０Ｂである。一方で、変更例１では、図１０に示すように、ＨＮＢ１１０Ｂの上位ノードは、ＲＮＣ１２０Ａである。
【００８４】
変更例１では、ＲＮＣ１２０Ａは、ＨＮＢ−ＧＷ１２０Ｂに代わって、ＨＮＢ１１０Ｂを管理する。すなわち、ＲＮＣ１２０Ａは、ＲＮＣ１２０Ａの配下に属する装置に対して、ＨＮＢ−ＧＷ１２０Ｂと同様の機能を提供する。
【００８５】
また、第１実施形態では、ＨｅＮＢ２１０Ｂの上位ノードは、ＨｅＮＢ−ＧＷ２２０Ｂである。一方で、変更例１では、図１０に示すように、ＨｅＮＢ２１０Ｂの上位ノードは、ＭＭＥ２３０である。
【００８６】
変更例１では、ＨｅＮＢ２１０Ｂは、ＨｅＮＢ−ＧＷ２２０Ｂに代わって、ＨｅＮＢ２１０Ｂの配下に属する装置に対して、ＨｅＮＢ−ＧＷ２２０Ｂと同様の機能を提供する。
【００８７】
なお、ＨＮＢ−ＧＷ１２０Ｂのみが省略されてもよく、ＨｅＮＢ−ＧＷ２２０Ｂのみが省略されてもよい。
【００８８】
［その他の実施形態］
本発明は上述した実施形態によって説明したが、この開示の一部をなす論述及び図面は、この発明を限定するものであると理解すべきではない。この開示から当業者には様々な代替実施形態、実施例及び運用技術が明らかとなろう。
【００８９】
上述した実施形態では特に触れていないが、セル構成要素は、特定セル又はマクロセルを特定可能に構成されていればよい。また、セル構成要素は、特定セル又はマクロセルを特定する過程において、セルを絞り込むことが可能な情報であればよい。例えば、セル構成要素は、特定セル及びマクロセルなどのセル毎に割り当てられる“Ｃｅｌｌ  ＩＤ”であってもよい。或いは、セル構成要素は、複数のセルによって構成される位置登録エリア毎に割り当てられる“Ｌｏｃａｔｉｏｎ  Ａｒｅａ  Ｃｏｄｅ（ＬＡＣ）”であってもよい。或いは、セル構成要素は、“Ｃｅｌｌ  ＩＤ”及び“ＬＡＣ”の組み合わせであってもよい。
【００９０】
例えば、セル構成要素として“ＬＡＣ”を用いる場合には、移動通信端末がアクセス可能な特定セルに遷移元セルから遷移した場合に、遷移元セルを含む“ＬＡＣ”が周辺セル構成要素として登録されることに留意すべきである。
【００９１】
実施形態では、ＵＥ１０は、周辺セル構成要素と周辺セル情報とを対応付けて記憶する。しかしながら、実施形態は、これに限定されるものではない。具体的には、ＵＥ１０は、周辺セル情報と対応付けずに、周辺セル構成要素を記憶していてもよい。なお、周辺セル構成要素と周辺セル情報とが対応付けられている場合には、周辺セル情報（周波数や拡散コード）を用いて、特定セルを探索することが好ましい。一方で、周辺セル構成要素と周辺セル情報とが対応付けられていない場合には、周辺セル情報（周波数や拡散コード）を用いずに、特定セルを探索することは勿論である。
【００９２】
なお、上述したＵＥ１０の動作は、ハードウェアによって実施されてもよいし、プロセッサによって実行されるソフトウェアモジュールによって実施されてもよいし、両者の組み合わせによって実施されてもよい。
【００９３】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００９４】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、ＵＥ１０内に設けられていてもよい。また、かかる記憶媒体及びプロセッサは、ディスクリートコンポーネントとしてＵＥ１０内に設けられていてもよい。
【符号の説明】
【００９５】
１０…通信端末装置、１１…通信部、１２…記憶部、１３…登録部、１４…探索部、５０…コアネットワーク、１００…移動通信システム、１１０Ａ…ＮＢ、１１０Ｂ…ＨＮＢ、１１１Ａ…マクロセル、１１１Ｂ…特定セル、１２０Ａ…ＲＮＣ、１２０Ｂ…ＨＮＢ−ＧＷ、１３０…ＳＧＳＮ、２１０Ａ…ｅＮＢ、２１０Ｂ…ＨｅＮＢ、２１１Ａ…マクロセル、２１１Ｂ…特定セル、２２０Ｂ…ＨｅＮＢ−ＧＷ、２３０…ＭＭＥ、３１１Ａ〜３１３Ａ…マクロセル、３１１Ｂ〜３１３Ｂ…特定セル
【図１】
2011217265.tif 000003
【図２】
2011217265.tif 000004
【図３】
2011217265.tif 000005
【図４】
2011217265.tif 000006
【図５】
2011217265.tif 000007
【図６】
2011217265.tif 000008
【図７】
2011217265.tif 000009
【手続補正書】
【提出日】平成23年8月22日(2011.8.22)
【手続補正１】
【補正対象書類名】特許請求の範囲
【補正対象項目名】全文
【補正方法】変更
【補正の内容】
【特許請求の範囲】
【請求項１】
アクセス種別を設定可能に構成された特定セル及びマクロセルと通信を行うように構成された移動通信端末であって、
前記特定セル及び前記マクロセルの少なくともいずれかのセルから、当該セルを特定するための構成要素を含む報知情報を受信するように構成された受信部と、
前記移動通信端末がアクセス可能な特定セルと、当該特定セルの周辺に設けられる周辺セルを特定するための周辺セル構成要素とを対応付けて記憶するように構成された記憶部と、
前記記憶部に記憶された特定セルを探索するように構成された探索部と、
前記移動通信端末がアクセス可能な特定セルに遷移元セルから遷移した場合に、前記遷移元セルを特定するための構成要素を前記周辺セル構成要素として前記記憶部に登録するように構成された登録部をさらに備えることを特徴とする移動通信端末。
【請求項２】
前記探索部は、前記報知情報に含まれる構成要素が前記周辺セル構成要素に含まれているか否かに応じて、前記記憶部に記憶された特定セルの探索方法を切り替えることを特徴とする請求項１に記載の移動通信端末。
【請求項３】
前記探索部は、前記報知情報に含まれる構成要素が前記周辺セル構成要素に含まれていない場合に、前記記憶部に記憶された特定セルを探索しないことを特徴とする請求項２に記載の移動通信端末。
【請求項４】
前記探索部は、前記報知情報に含まれる構成要素が前記周辺セル構成要素に含まれている場合に、前記記憶部に記憶された特定セルを第１周期で探索し、前記報知情報に含まれる構成要素が前記周辺セル構成要素に含まれていない場合に、前記記憶部に記憶された特定セルを前記第１周期よりも長い第２周期で探索することを特徴とする請求項２に記載の移動通信端末。
【請求項５】
アクセス種別を設定可能に構成された特定セル及びマクロセルと通信を行うように構成された移動通信端末を有する移動通信システムであって、
前記特定セル及び前記マクロセルのいずれかのセルから、当該セルを特定するための構成要素を含む報知情報を受信するように構成された受信部と、
前記移動通信端末がアクセス可能な特定セルと、当該特定セルの周辺に設けられる周辺セルを特定するための周辺セル構成要素とを対応付けて記憶するように構成された記憶部と、
前記記憶部に記憶された特定セルを探索するように構成された探索部と、
前記移動通信端末がアクセス可能な特定セルに遷移元セルから遷移した場合に、前記遷移元セルを特定するための構成要素を前記周辺セル構成要素として前記記憶部に登録するように構成された登録部を備えることを特徴とする移動通信システム。
【請求項６】
アクセス種別を設定可能に構成された特定セル及びマクロセルと通信を行うように構成されており、移動通信端末に適用される移動通信方法であって、
前記移動通信端末は、前記移動通信端末がアクセス可能な特定セルと、当該特定セルの周辺に設けられる周辺セルを特定するための周辺セル構成要素とを対応付けて記憶するように構成された記憶部を有しており、
前記特定セル及び前記マクロセルのいずれかのセルから、当該セルを特定するための構成要素を含む報知情報を受信するステップＡと、
前記記憶部に記憶された特定セルを探索するステップＢと、
前記移動通信端末がアクセス可能な特定セルに遷移元セルから遷移した場合に、前記遷移元セルを特定するための構成要素を前記周辺セル構成要素として前記記憶部に登録するステップとを備えることを特徴とする移動通信方法。